(57)【要約】【課題】実装スペースを少なくすることができる光伝送システムを提供すること。【解決手段】局装置１０は、第１または第２の光伝送路を介して光信号を加入者装置に送信する局側送信手段（ＯＮ／ＯＦＦ機能付き下り用Ｅ／Ｏ１２，１３）と、加入者装置から光信号を受信する局側受信手段（上り用Ｏ／Ｅ１５，１６）と、受信された光信号の状態に基づいて、光伝送路の状態を判定する判定手段（制御部１４）と、一方の光伝送路の状態が悪化したと判定した場合には、他方の光伝送路へ切り換える切り換え手段（制御部１４）と、を有し、加入者装置３０は、光伝送路を介して光信号を局装置に送信する加入者側送信手段（カプラ３７）と、第１および第２の光伝送路の光信号を合波する合波手段（カプラ３１）と、合波手段によって合波された光信号を受信する加入者側受信手段（下り用Ｏ／Ｅ３２）とを有する。【選択図】図１
2014183417.tif 000002
【特許請求の範囲】
【請求項１】
局装置と加入者装置を有し、これらの間を第１および第２の少なくとも２つの光伝送路によって接続する光伝送システムにおいて、
前記局装置は、
前記第１または第２の光伝送路を介して光信号を前記加入者装置に送信する局側送信手段と、
前記第１および第２の光伝送路を介して前記加入者装置から光信号を受信する局側受信手段と、
前記局側受信手段によって受信された前記光信号の状態に基づいて、前記第１および第２の光伝送路の状態を判定する判定手段と、
前記判定手段によって一方の光伝送路の状態が悪化したと判定した場合には、他方の光伝送路へ切り換える切り換え手段と、を有し、
前記加入者装置は、
前記第１および第２の光伝送路を介して光信号を前記局装置に送信する加入者側送信手段と、
前記第１および第２の光伝送路の光信号を合波する合波手段と、
前記合波手段によって合波された光信号を受信する加入者側受信手段と、
を有することを特徴とする光伝送システム。
【請求項２】
前記判定手段は、前記局側受信手段によって受信された前記光信号の信号レベルが所定の閾値以下に低下した場合には、一方の光伝送路の状態が悪化したと判定することを特徴とする請求項１に記載の光伝送システム。
【請求項３】
前記判定手段は、前記局側受信手段によって受信された前記光信号の信号品質が所定の閾値以下になった場合には、一方の光伝送路の状態が悪化したと判定することを特徴とする請求項１または２に記載の光伝送システム。
【請求項４】
前記切り換え手段は、前記判定手段によって前記一方の光伝送路の状態が悪化したと判定した場合には、前記一方の光伝送路を介して光信号を前記加入者装置に送信する局側送信手段の発光素子の発光を停止することを特徴とする請求項１乃至３のいずれか１項に記載の光伝送システム。
【請求項５】
局装置と加入者装置を有し、これらの間を第１および第２の少なくとも２つの光伝送路によって接続する光伝送システムを構成する前記局装置において、
前記第１または第２の光伝送路を介して光信号を前記加入者装置に送信する局側送信手段と、
前記第１および第２の光伝送路を介して前記加入者装置から光信号を受信する局側受信手段と、
前記局側受信手段によって受信された前記光信号の状態に基づいて、前記第１および第２の光伝送路の状態を判定する判定手段と、
前記判定手段によって一方の光伝送路の状態が悪化したと判定した場合には、他方の光伝送路へ切り換える切り換え手段と、
を有することを特徴とする局装置。
【請求項６】
局装置と加入者装置を有し、これらの間を第１および第２の少なくとも２つの光伝送路によって接続する光伝送システムを構成する前記加入者装置において、
前記第１および第２の光伝送路を介して光信号を前記局装置に送信する加入者側送信手段と、
前記第１および第２の光伝送路の光信号を合波する合波手段と、
前記合波手段によって合波された光信号を受信する加入者側受信手段と、
を有することを特徴とする加入者装置。
【発明の詳細な説明】
【技術分野】
【０００１】
本発明は、光伝送システム、局装置、および、加入者装置に関するものである。
【背景技術】
【０００２】
特許文献１には、ｎ個の加入者装置１０〜２０と局装置３０の各々に現用系と予備系の２系統のインタフェース部を設け、これらを２系統の光伝送路２００によって接続し、制御部１３，３により、現用系インタフェースの情報を常に予備系インタフェースに供給し、さらに局装置３０から周期的に発するセルを加入者装置の２系統で受信して、局装置からインタフェース１１と１２までの距離差を算出し、予備系に供給する情報の距離差を補正する技術が開示されている。この技術では、現用系光伝送路の障害が生じて外部より切り換え要求があった場合、制御部１３，３は直ちに現用系と予備系の伝送路およびインタフェース部を切り換える。
【先行技術文献】
【特許文献】
【０００３】
【特許文献１】特開平９−２８４３２５号公報
【発明の概要】
【発明が解決しようとする課題】
【０００４】
ところで、特許文献１に示す技術では、加入者装置が、現用系と予備系の２種類のインタフェースを有する必要があることから、実装スペースを要するとともに、製造コストが高くつくという問題点がある。
【０００５】
本発明は、以上の点に鑑みてなされたものであり、実装スペースを少なくするとともに、製造コストを低減することができる光伝送システム、局装置、および、加入者装置を提供することを目的としている。
【課題を解決するための手段】
【０００６】
上記課題を解決するために、本発明は、局装置と加入者装置を有し、これらの間を第１および第２の少なくとも２つの光伝送路によって接続する光伝送システムにおいて、前記局装置は、前記第１または第２の光伝送路を介して光信号を前記加入者装置に送信する局側送信手段と、前記第１および第２の光伝送路を介して前記加入者装置から光信号を受信する局側受信手段と、前記局側受信手段によって受信された前記光信号の状態に基づいて、前記第１および第２の光伝送路の状態を判定する判定手段と、前記判定手段によって一方の光伝送路の状態が悪化したと判定した場合には、他方の光伝送路へ切り換える切り換え手段と、を有し、前記加入者装置は、前記第１および第２の光伝送路を介して光信号を前記局装置に送信する加入者側送信手段と、前記第１および第２の光伝送路の光信号を合波する合波手段と、前記合波手段によって合波された光信号を受信する加入者側受信手段と、を有することを特徴とする。
このような構成によれば、実装スペースを少なくするとともに、製造コストを低減することができる。
【０００７】
また、本発明の一側面は、前記判定手段は、前記局側受信手段によって受信された前記光信号の信号レベルが所定の閾値以下に低下した場合には、一方の光伝送路の状態が悪化したと判定することを特徴とする。
このような構成によれば、断線等が生じて信号レベルが低下した場合には、一方の光伝送路から他方の光伝送路に切り換えることが可能になる。
【０００８】
また、本発明の一側面は、前記判定手段は、前記局側受信手段によって受信された前記光信号の信号品質が所定の閾値以下になった場合には、一方の光伝送路の状態が悪化したと判定することを特徴とする。
このような構成によれば、光伝送路の障害によって信号品質が低下した場合には、一方の光伝送路から他方の光伝送路に切り換えることが可能になる。
【０００９】
また、本発明の一側面は、前記切り換え手段は、前記判定手段によって前記一方の光伝送路の状態が悪化したと判定した場合には、前記一方の光伝送路を介して光信号を前記加入者装置に送信する局側送信手段の発光素子の発光を停止することを特徴とする。
このような構成によれば、発光素子の発光を停止することにより、システムに与える影響を低減することが可能になる。
【００１０】
また、本発明は、局装置と加入者装置を有し、これらの間を第１および第２の少なくとも２つの光伝送路によって接続する光伝送システムを構成する前記局装置において、前記第１または第２の光伝送路を介して光信号を前記加入者装置に送信する局側送信手段と、前記第１および第２の光伝送路を介して前記加入者装置から光信号を受信する局側受信手段と、前記局側受信手段によって受信された前記光信号の状態に基づいて、前記第１および第２の光伝送路の状態を判定する判定手段と、前記判定手段によって一方の光伝送路の状態が悪化したと判定した場合には、他方の光伝送路へ切り換える切り換え手段と、を有することを特徴とする。
このような構成によれば、実装スペースを少なくするとともに、製造コストを低減することができる。
【００１１】
また、本発明は、局装置と加入者装置を有し、これらの間を第１および第２の少なくとも２つの光伝送路によって接続する光伝送システムを構成する前記加入者装置において、前記第１および第２の光伝送路を介して光信号を前記局装置に送信する加入者側送信手段と、前記第１および第２の光伝送路の光信号を合波する合波手段と、前記合波手段によって合波された光信号を受信する加入者側受信手段と、を有することを特徴とする。
このような構成によれば、実装スペースを少なくするとともに、製造コストを低減することができる。
【発明の効果】
【００１２】
本発明によれば、実装スペースを少なくするとともに、製造コストを低減することができる光伝送システム、局装置、および、加入者装置を提供することが可能になる。
【図面の簡単な説明】
【００１３】
【図１】本発明の実施形態に係る光伝送システムの構成例を示す図である。
【図２】従来の光伝送システムの構成例を示す図である。
【図３】図１に示す本発明の実施形態において実行される処理の一例を説明するためのフローチャートである。
【発明を実施するための形態】
【００１４】
次に、本発明の実施形態について説明する。
【００１５】
（Ａ）実施形態の構成の説明
図１は、本発明の実施形態に係る光伝送システムの構成例を示す図である。この図１に示すように、本発明の実施形態に係る光伝送システム１は、局装置１０、光伝送路２０、および、加入者装置３０を有している。
【００１６】
ここで、局装置１０は、エンコード部１１、ＯＮ／ＯＦＦ機能付き下り用Ｅ／Ｏ（Electrical Optical：電気・光変換）１２，１３、制御部１４、上り用Ｏ／Ｅ１５，１６、ＳＷ（Switch）１７、および、デコード部１８を有している。
【００１７】
エンコード部１１は、映像信号を入力し、符号化処理を施した後、ＯＮ／ＯＦＦ機能付き下り用Ｅ／Ｏ１２，１３に出力する。ＯＮ／ＯＦＦ機能付き下り用Ｅ／Ｏ１２は、エンコード部１１から供給された、符号化された映像信号を光信号に変換し、光ファイバ２１ａを介して加入者装置３０に送信する。ＯＮ／ＯＦＦ機能付き下り用Ｅ／Ｏ１３は、エンコード部１１から供給された、符号化された映像信号を光信号に変換し、光ファイバ２２ａを介して加入者装置３０に送信する。ＯＮ／ＯＦＦ機能付き下り用Ｅ／Ｏ１２，１３は、制御部１４の制御に応じて、内蔵されている発光素子をオンまたはオフする機能を有する。
【００１８】
制御部１４は、上り用Ｏ／Ｅ１５，１６およびデコード部１８の出力を参照し、ＯＮ／ＯＦＦ機能付き下り用Ｅ／Ｏ１２，１３が内蔵している発光素子（不図示）をオンまたはオフする制御を行うとともに、ＳＷ１７を制御する。上り用Ｏ／Ｅ１５は、光ファイバ２１ｂを介して加入者装置３０から送信される光信号を受信し、電気信号に変換してＳＷ１７に出力するとともに、光信号のレベルを制御部１４に通知する。上り用Ｏ／Ｅ１６は、光ファイバ２２ｂを介して加入者装置３０から送信される光信号を受信し、電気信号に変換してＳＷ１７に出力するとともに、光信号のレベルを制御部１４に通知する。
【００１９】
ＳＷ１７は、制御部１４の制御に基づいて、上り用Ｏ／Ｅ１５および上り用Ｏ／Ｅ１６のいずれか一方から出力される電気信号を選択してデコード部１８に出力する。デコード部１８は、ＳＷ１７から供給される電気信号を復号し、映像信号として出力する。
【００２０】
光伝送路２０は、光伝送路２１および光伝送路２２を有している。光伝送路２１は、下り用の光ファイバ２１ａと上り用の光ファイバ２１ｂを有している。光伝送路２２は、下り用の光ファイバ２２ａと上り用の光ファイバ２２ｂを有している。
【００２１】
一方、加入者装置３０は、カプラ３１、下り用Ｏ／Ｅ３２、デコード部３３、制御部３４、エンコード部３５、上り用Ｅ／Ｏ３６、および、カプラ３７を有している。
【００２２】
ここで、カプラ３１は、ＯＮ／ＯＦＦ機能付き下り用Ｅ／Ｏ１２から送信され、光ファイバ２１ａを介して伝送された光信号と、ＯＮ／ＯＦＦ機能付き下り用Ｅ／Ｏ１３から送信され、光ファイバ２２ａを介して伝送された光信号とを合波し、下り用Ｏ／Ｅ３２に出力する。
【００２３】
下り用Ｏ／Ｅ３２は、カプラ３１から供給された光信号を電気信号に変換しデコード部３３に出力する。デコード部３３は、下り用Ｏ／Ｅ３２から出力された電気信号を映像信号に復号して出力する。制御部３４は、デコード部３３およびエンコード部３５を制御する。エンコード部３５は、制御部３４から供給された信号を符号化し、上り用Ｅ／Ｏ３６に供給する。上り用Ｅ／Ｏ３６は、エンコード部３５から供給された信号を光信号に変換し、カプラ３７に供給する。カプラ３７は、上り用Ｅ／Ｏ３６から供給された光信号を２分配し、光ファイバ２１ｂ，２２ｂを介して、局装置１０に伝送する。
【００２４】
（Ｂ）実施形態の動作の説明
次に、本発明の実施形態の動作について説明する。以下では、図２を参照して、従来の構成例の動作について説明した後、本発明の実施形態の動作について説明する。図２は、従来の構成例を示す図である。なお、図２において、図１と対応する部分には同一の符号を付してその説明を省略する。図２では、図１に比較すると、局装置１０では、ＯＮ／ＯＦＦ機能付き下り用Ｅ／Ｏ１２，１３が、下り用Ｅ／Ｏ１２１，１３１に置換されている。また、加入者装置３０では、カプラ３１が除外され、下り用Ｏ／Ｅ３２が下り用Ｏ／Ｅ３２１，３２２に置換され、ＳＷ３２３が追加されている。これ以外の構成は、図１の場合と同様である。
【００２５】
図２に示す例では、エンコード部１１から供給された電気信号は下り用Ｅ／Ｏ１２１，１３１に供給され、下り用Ｅ／Ｏ１２１，１３１は、エンコード部１１から供給された電気信号を光信号に変換し、光ファイバ２１ａ，２２ａを介して、加入者装置３０に送信する。加入者装置３０では、下り用Ｏ／Ｅ３２１，３２２が光ファイバ２１ａ，２２ａを介して伝送されてきた光信号を受信して電気信号にそれぞれ変換して出力する。ＳＷ３２３は、制御部３４の制御に応じて、下り用Ｏ／Ｅ３２１，３２２から出力された電気信号のいずれか一方を選択して出力する。なお、制御部３４は、下り用Ｏ／Ｅ３２１，３２２の出力を参照し、信号レベルが所定の閾値を下回った場合には、ＳＷ３２３を制御して選択を切り換える。例えば、光伝送路２１が現用系であり、光伝送路２２が予備系である場合には、制御部３４は、現用系である光伝送路２１の信号レベルが所定の閾値以下になった場合には、ＳＷ３２３を制御して、現用系から予備系の切り替えを実行する。
【００２６】
なお、エンコード部３５から出力された電気信号は、上り用Ｅ／Ｏ３６において、光信号に変換されカプラ３７に供給される。カプラ３７では、光信号を２分波し、光ファイバ２１ｂ，２２ｂを介して局装置１０に伝送する。局装置１０では、光ファイバ２１ｂ，２２ｂを介して伝送された光信号を受信し、上り用Ｏ／Ｅ１５，１６において電気信号に変換し、ＳＷ１７に出力する。ＳＷ１７は、上り用Ｏ／Ｅ１５，１６から出力された電気信号を、制御部１４の制御に応じて一方を選択し、デコード部１８に出力する。デコード部１８は、ＳＷ１７から出力された信号を復号して出力する。なお、制御部１４は、上り用Ｏ／Ｅ１５，１６の出力信号のレベルを参照し、一方の信号レベルが低下した場合にはＳＷ１７により他方に切り換える処理を実行する。例えば、光伝送路２１が現用系であり、光伝送路２２が予備系である場合には、制御部１４は、現用系である光伝送路２１の信号レベルが所定の閾値以下になった場合には、ＳＷ１７を制御して現用系から予備系の切り替えを実行する。
【００２７】
以上のような従来の構成では、加入者装置３０が、下り用Ｏ／Ｅ３２１，３２２を有する必要があり、また、加入者装置３０が光伝送路の状態を判定する必要があることから、装置の実装スペースが大きくなるとともに、製造コストが高くつくという問題がある。
【００２８】
次に、図１を参照して本発明の実施形態の動作について説明する。図１に示す実施形態では、制御部３４は、エンコード部３５に対して所定の信号（例えば、予め定められたデータを含む信号）を出力させる。エンコード部３５から出力された電気信号は、上り用Ｅ／Ｏ３６において光信号に変換され、カプラ３７に供給される。カプラ３７は、上り用Ｅ／Ｏ３６から供給された光信号を２分波し、光ファイバ２１ｂ，２２ｂを介して局装置１０に伝送する。
【００２９】
局装置１０では、光ファイバ２１ｂ，２２ｂを介して受信した光信号を、上り用Ｏ／Ｅ１５，１６が受信し、電気信号に変換しＳＷ１７に出力する。ＳＷ１７は、制御部１４の制御に応じて上り用Ｏ／Ｅ１５，１６から出力された電気信号のいずれか一方を選択し、デコード部１８に供給する。制御部１４は、上り用Ｏ／Ｅ１５，１６から出力された電気信号の信号レベルおよびエラーレート等を監視しており、信号レベルおよびエラーレートに基づいてＯＮ／ＯＦＦ機能付き下り用Ｅ／Ｏ１２，１３を制御する。例えば、光伝送路２１が現用系であり、光伝送路２２が予備系である場合、通常動作時には、制御部１４は、ＯＮ／ＯＦＦ機能付き下り用Ｅ／Ｏ１２を選択する。この結果、ＯＮ／ＯＦＦ機能付き下り用Ｅ／Ｏ１２は、内蔵されているＬＤ（Laser Diode）等の発光素子がオンの状態になり、エンコード部１１から供給された電気信号は、ＯＮ／ＯＦＦ機能付き下り用Ｅ／Ｏ１２によって、光信号に変換され、光伝送路２１を介して加入者装置３２供給される。
【００３０】
このような状態において、光伝送路２１に何らかの障害が発生した場合（例えば、断線した場合）、光ファイバ２１ｂにも障害が発生することから、上り用Ｏ／Ｅ１５によって受信される光信号のレベルが低下するか、あるいは、信号品質が低下する。これにより、上り用Ｏ／Ｅ１５から出力される電気信号の信号レベルが低下（または、信号品質が低下）するため、制御部１４は、電気信号が所定の閾値以下になった（または、信号品質が所定の閾値以下になった）ことから、現用系の光伝送路２１に何らかの障害が発生したと判定し、現用系から予備系の切り換えを実行する。すなわち、ＯＮ／ＯＦＦ機能付き下り用Ｅ／Ｏ１２の発光素子の発光を停止させるとともに、ＯＮ／ＯＦＦ機能付き下り用Ｅ／Ｏ１３の発光素子の発光を開始させる。
【００３１】
以上の動作により、局装置１０は、加入者装置３０から伝送された光信号を受信し、光信号の信号レベルが所定の強度を下回った場合（または、信号品質が所定の閾値以下になった場合）には、ＯＮ／ＯＦＦ機能付き下り用Ｅ／Ｏ１２の発光素子の発光を停止するとともに、ＯＮ／ＯＦＦ機能付き下り用Ｅ／Ｏ１３の発光素子の発光を開始させる。これにより、現用系から予備系の切り換えが実行される。
【００３２】
以上に説明したように、本発明の実施形態によれば、加入者装置３０は、図２の従来例に示すように、下り用Ｏ／Ｅ３２１，３２２を備える必要がないので、装置の構成を簡略化し、実装スペースを小さくすることができる。また、これにより、製造コストを低減することができる。
【００３３】
また、図１に示す実施形態では、図２に示すように、加入者装置３０が、受信信号の信号レベルを監視し、信号レベルに応じてＳＷ３２３を切り換える必要がないことから、装置の構成を簡略化することができるとともに、製造コストを低減することができる。
【００３４】
次に、図３を参照して、図１に示す実施形態において実行される処理の詳細について説明する。図３に示すフローチャートの処理が開始されると、以下のステップが実行される。
【００３５】
ステップＳ１０では、制御部１４は、現用系の信号レベルＬを検出する。より詳細には、制御部１４は、上り用Ｏ／Ｅ１５から出力される電気信号の信号レベルＬを検出する。
【００３６】
ステップＳ１１では、制御部１４は、ステップＳ１０で検出した信号レベルＬが所定の閾値Ｔｈｌ以下であるか否かを判定し、所定の閾値Ｔｈｌ以下であると判定した場合（ステップＳ１１：Ｙｅｓ）には、ステップＳ１４に進み、それ以外の場合（ステップＳ１１：Ｎｏ）には、ステップＳ１２に進む。例えば、現用系が断線し、信号レベルＬが、所定の閾値Ｔｈｌ以下になった場合には、ステップＳ１１では、Ｙｅｓと判定され、ステップＳ１４に進む。一方、現用系が正常である場合には、信号レベルＬは、所定の閾値Ｔｈｌよりも大きいのでステップＳ１１では、Ｎｏと判定されてステップＳ１２に進む。
【００３７】
ステップＳ１２では、制御部１４は、現用系の信号の信号品質Ｑを検出する。例えば、制御部１４は、現用系の信号のＣ／Ｎ（Carrier Noise）比を検出する。なお、Ｃ／Ｎ比以外の指標（例えば、ノイズレート等）を信号品質Ｑとして検出するようにしてもよい。
【００３８】
ステップＳ１３では、制御部１４は、現用系の信号の信号品質Ｑが、所定の閾値Ｔｈｑ以下であるか否かを判定し、所定の閾値Ｔｈｑ以下である場合（ステップＳ１２：Ｙｅｓ）にはステップＳ１４に進み、それ以外の場合（ステップＳ１２：Ｎｏ）にはステップＳ１７に進む。例えば、現用系の光伝送路２１の障害の影響で信号品質Ｑが低下し、所定の閾値Ｔｈｑ以下になった場合にはステップＳ１４に進む。また、現用系の光伝送路２１が正常である場合には、信号品質Ｑが所定の閾値Ｔｈｑよりも大きいことからステップ１７に進む。
【００３９】
ステップＳ１４では、制御部１４は、図示しないアラームを発報する。これにより、管理者に異常が発生したことを通知することができる。
【００４０】
ステップＳ１５では、制御部１４は、予備系の動作を開始する。より詳細には、制御部１４はＯＮ／ＯＦＦ機能付き下り用Ｅ／Ｏ１３に対して、内蔵する発光素子の発光を開始させる。これにより、エンコード部１１から供給された電気信号がＯＮ／ＯＦＦ機能付き下り用Ｅ／Ｏ１３によって光信号に変換され、予備系の光伝送路２２を介して加入者装置３０に伝送される。
【００４１】
ステップＳ１６では、制御部１４は、現用系の動作を停止する。より詳細には、制御部１４は、ＯＮ／ＯＦＦ機能付き下り用Ｅ／Ｏ１２に対して、内蔵する発光素子の発光を停止させる。これにより、ＯＮ／ＯＦＦ機能付き下り用Ｅ／Ｏ１２からの光信号の出力が停止される。
【００４２】
ステップＳ１７では、制御部１４は、処理を終了するか否かを判定し、処理を継続すると判定した場合（ステップＳ１７：Ｎｏ）には、ステップＳ１０に戻って前述の場合と同様の処理を継続し、それ以外の場合（ステップＳ１７：Ｙｅｓ）には、処理を終了する。
【００４３】
以上の処理によれば、加入者装置３０から送信される光信号の信号レベルが所定の閾値以下である場合には、現用系から予備系への切り換えを実行することができる。また、現用系の信号の信号品質が所定の閾値以下である場合にも同様に、現用系から予備系への切り替えを実行することができる。
【００４４】
また、以上の処理によれば、現用系から予備系の切り換えが実行された場合には、アラームを発報するようにしたので、管理者に切り換えが実行されたことを通知することができる。
【００４５】
（Ｃ）変形実施形態の説明
以上の各実施形態は一例であって、本発明が上述したような場合のみに限定されるものでないことはいうまでもない。例えば、以上の実施形態では、加入者装置３０が１つの場合を図示して説明したが、加入者装置３０がＮ（Ｎは２以上の自然数）台存在するようにしてもよい。また、Ｎ台存在する場合には、１台の加入者装置３０からの光信号のみによって現用系から予備系の切り換えの判定を行うのではなく、複数の加入者装置３０からの光信号に基づいて判定するようにしてもよい。あるいは、Ｎ台のうちの一部に、上り光信号を送信する機能を設けるようにしてもよい。
【００４６】
また、以上の実施形態では、光伝送路２１，２２がそれぞれ２本の光ファイバによって構成されるようにしたが、１本または３本以上の光ファイバによって構成されるようにしてもよい。なお、光ファイバが１本の場合には、下りの光信号と上りの光信号が同じ光ファイバで伝送されることから、例えば、下りの光信号と上りの光信号の波長が異なるように設定することで、正常に通信を行うことができる。
【００４７】
また、図１に示す実施形態では、エンコード部３５からの信号を上り用Ｅ／Ｏ３６において光信号に変換して送信するようにしたが、変調されてない一定強度の光を送信し、局装置１０ではこの光の強度のみを検出するようにしてもよい。もちろん、一定強度の光を送信しておき、必要に応じて変調するようにしてもよい。
【００４８】
また、図３に示すフローチャートでは、現用系の信号レベルＬと、現用系の信号の信号品質Ｑとに基づいて現用系の状態を判定するようにしたが、これらのいずれか一方のみを用いて判定を行うようにしてもよい。なお、現用系の信号の信号品質Ｑを判定対象としない場合には、加入者装置３０では、上りの光信号に対して信号を重畳する必要がない。
【００４９】
また、図１に示す実施形態では、ＯＮ／ＯＦＦ機能付き下り用Ｅ／Ｏ１２，１３を用いるようにしたが、ＯＮ／ＯＦＦ機能が付いていないＥ／Ｏを用いるようにしてもよい。
【００５０】
また、上りの信号光を所定の信号で変調するのではなく、例えば、一定周波数の発振器の出力によって、上りの信号光を変調するようにしてもよい。
【符号の説明】
【００５１】
１  光伝送システム
１０  局装置
１１  エンコード部
１２，１３  ＯＮ／ＯＦＦ機能付き下り用Ｅ／Ｏ（局側送信手段）
１４  制御部（判定手段、切り換え手段）
１５，１６  上り用Ｏ／Ｅ（局側受信手段）
１７  ＳＷ
１８  デコード部
２０  光伝送路
３０  加入者装置
３１  カプラ（合波手段）
３２  下り用Ｏ／Ｅ（加入者側受信手段）
３３  デコード部
３４  制御部
３５  エンコード部
３６  下り用Ｅ／Ｏ（加入者側送信手段）
３７  カプラ
【図１】
2014183417.tif 000003
【図２】
2014183417.tif 000004
【図３】
2014183417.tif 000005